【手続補正書】
【提出日】平成24年12月25日(2012.12.25)
【手続補正１】
【補正対象書類名】明細書
【補正対象項目名】００３２
【補正方法】変更
【補正の内容】
【００３２】
図３は、通信負荷構成を使用する通信方法の他の実施形態のフローチャート５０を示す図である。誘導給電は、送信メッセージ手順を開始する（５２）。遠隔装置は、誘導給電から電力を受電し、かつ遠隔装置に供給される電力を測定する（５４）。遠隔装置のコントローラは、測定電力がしきい値より大きいか判定する（５６）。測定電流がしきい値よりを上回る場合、動的負荷構成は、１つの通信負荷を含むように構成され、ターゲット負荷は切断される（６０）。測定電流がしきい値よりを下回る場合、動的負荷構成は、２つの通信抵抗を並列に接続するように構成され、ターゲット負荷を切断する（５８）。メッセージが送信されると、遠隔装置は、他のメッセージが送信されるまで待機する（６２）。
【手続補正２】
【補正対象書類名】特許請求の範囲
【補正対象項目名】全文
【補正方法】変更
【補正の内容】
【特許請求の範囲】
【請求項１】
誘導給電と、遠隔装置とを具備し、前記遠隔装置は、前記給電から誘導結合を介して電力を誘導的に受電することができ、
前記誘導給電は、
前記遠隔装置に電力を誘導的に転送する１次と、
前記１次に動作可能なように結合される１次回路であって、前記１次回路は、１）前記誘導結合を介して反映される前記遠隔装置の特性に影響された電力特性を示す出力を生成し、かつ２）前記出力に対応して前記誘導給電の作動を制御する１次回路とを含み、
前記遠隔装置は、
前記誘導給電により提供される前記電力を利用することができるターゲット負荷と、
前記遠隔装置の電力特性を検出するセンサと、
前記誘導給電に通信するために変調ができる通信負荷と、
１）前記センサの出力に基づく動的構成である第１の通信負荷構成で前記通信負荷を構成し、２）前記誘導給電と通信するために、前記第１の通信負荷構成と、第２の通信負荷構成との間を変調するようにプログラムされるコントローラと、
を含むことを特徴とする非接触給電システム。
【請求項２】
前記第１の通信負荷構成は、抵抗、ダイオード、容量、インダクタ、動的負荷及び一定の電圧降下を有する装置の少なくとも１つを含む請求項１に記載の非接触給電システム。
【請求項３】
前記第１の通信負荷構成及び前記第２の通信負荷構成の少なくとも１つは、前記ターゲット負荷を含む請求項１に記載の非接触給電システム。
【請求項４】
前記コントローラは、前記センサからの前記出力がしきい値を下回るときに前記ターゲット負荷を含むように前記第１の通信負荷構成を構成するようにプログラミングされ、前記コントローラは、前記センサからの前記出力がしきい値を上回るときに前記通信負荷を含むように前記第１の通信負荷構成を構成するようにプログラミングされる請求項１に記載の非接触給電システム。
【請求項５】
前記第２の通信負荷構成は、前記通信負荷及び前記ターゲット負荷を含む請求項４に記載の非接触給電システム。
【請求項６】
前記第１の通信負荷構成は、前記通信負荷と、補助的な通信負荷とを含み、前記第２の通信負荷構成は、前記通信負荷を含み、前記コントローラは、前記センサからの前記出力がしきい値を下回るときに前記第１の通信負荷構成を利用するようにプログラミングされ、前記コントローラは、前記センサからの前記出力がしきい値を上回るときに前記第２の通信負荷構成を利用するようにプログラミングされる請求項１に記載の非接触給電システム。
【請求項７】
前記コントローラは、メッセージが前記誘導給電により受信されるまで前記通信負荷の抵抗を増加することによって、異なる負荷構成の間を切替えるようにプログラミングされる請求項１に記載の非接触給電システム。
【請求項８】
誘導給電から電力を受電する遠隔装置であって、
前記誘導給電により提供される前記電力を利用することができるターゲット負荷と、
前記遠隔装置の電力特性を検出するセンサと、
前記誘導給電に通信するための変調ができる通信負荷と、
１）前記センサの出力に基づく動的構成である第１の通信負荷構成の前記通信負荷を構成し、２）前記誘導給電と通信するために、前記第１の通信負荷構成と、第２の通信負荷構成との間を変調するようにプログラムされるコントローラと、
を含むことを特徴とする遠隔装置。
【請求項９】
前記第１の通信負荷構成は、抵抗、ダイオード、容量、インダクタ、動的負荷及び一定の電圧降下を有する装置の少なくとも１つを含む請求項８に記載の遠隔装置。
【請求項１０】
前記第１の通信負荷構成及び前記第２の通信負荷構成の少なくとも１つは、前記ターゲット負荷を含む請求項８に記載の遠隔装置。
【請求項１１】
前記第１の通信負荷構成は、前記ターゲット負荷を含み、前記第２の通信負荷構成は、前記通信負荷を含み、前記コントローラは、前記センサからの前記出力がしきい値を下回るときに前記第１の通信負荷構成を利用するようにプログラミングされ、前記コントローラは、前記センサからの前記出力がしきい値を上回るときに前記第２の通信負荷構成を利用するようにプログラミングされる請求項８に記載の遠隔装置。
【請求項１２】
前記第２の通信負荷構成は、前記通信負荷と、前記ターゲット負荷とを含む請求項１１に記載の遠隔装置。
【請求項１３】
前記第１の通信負荷構成は、前記通信負荷と、補助的な通信負荷とを含み、前記第２の通信負荷構成は、前記通信負荷を含み、前記コントローラは、前記センサからの前記出力がしきい値を下回るときに前記第１の通信負荷構成を利用するようにプログラミングされ、前記コントローラは、前記センサからの前記出力がしきい値を上回るときに前記第２の通信負荷構成を利用するようにプログラミングされる請求項８に記載の遠隔装置。
【請求項１４】
前記コントローラは、メッセージが前記誘導給電により受信されるまで前記通信負荷の抵抗を増加することによって、異なる負荷構成の間を切替えるようにプログラミングされる請求項８に記載の遠隔装置。
【請求項１５】
遠隔装置及び誘導給電から通信する方法であって、
前記誘導給電から電力を受電し、
前記遠隔装置が受電した電力の特性を測定し、
前記測定した電力特性に基づいて動的負荷構成を決定し、
前記決定された動的負荷構成と他の負荷構成との間を切替えることによって、前記誘導給電と通信する、
ことを含むことを特徴とする方法。
【請求項１６】
前記測定電力量に基づいて動的負荷構成を決定することは、前記測定電力量をしきい値と比較することを含む請求項１５に記載の方法。
【請求項１７】
前記測定した電力特性に基づいて動的負荷構成を決定することは、前記動的負荷構成を前記供給負荷よりも特定の割合大きくして、前記動的負荷構成と前記負荷との間の切換えによって反射インピーダンスがノイズではなく通信として区別できるように、前記動的負荷構成を決定することを含む請求項１５に記載の方法。
【請求項１８】
前記測定電力量に基づいて動的負荷構成を決定することは、メッセージが前記誘導給電により受信されるまで前記動的負荷構成の抵抗を増加することを含む請求項１５に記載の方法。
【請求項１９】
前記測定電力量に基づいて動的負荷構成を決定することは、前記誘導給電との通信による電力損失量を最小化する動的負荷構成を決定することを含む請求項１５に記載の方法。
【請求項２０】
前記測定電力量に基づいて動的負荷構成を決定することは、前記誘導給電が前記遠隔装置からの通信を受信できるように反射インピーダンス又は負荷シフトにおいて他の負荷構成から十分な差異を作り出す動的負荷構成を決定することを含む請求項１５に記載の方法。
【請求項２１】
遠隔装置から誘導給電に通信する方法であって、
前記誘導給電から前記遠隔装置に電力を転送し、
前記誘導給電から電力を受電し、
前記遠隔装置に動的通信負荷構成を構成し、
前記動的通信負荷構成と他の負荷構成との間を切替えることによって、前記誘導給電に通信を転送し、
前記誘導給電からの応答を待機し、
前記応答の受信の失敗に対応して、前記遠隔装置の前記動的通信負荷構成を調整し、
前記調整した動的通信負荷構成と他の負荷構成との間を切替えることによって、前記誘導給電に通信を再転送する、
ことを含むことを特徴とする方法。